(57)【要約】【課題】記録材を処理する記録材処理装置や記録材処理システムにて生じうる記録材の詰まりを低減する。【解決手段】画像形成装置２に設けられた排出ロール２Ｆによって画像形成装置２から排出された用紙Ｐを、コンパイル部４３１へ用紙Ｐを排出するイクジットロール４３２で受け取り、そして、排出ロール２Ｆおよびイクジットロール４３２の２つのロールによって、この用紙Ｐをコンパイル部４３１に排出する。さらに説明すると、排出ロール２Ｆとイクジットロール４３２との間には、用紙Ｐの搬送に用いられるロールが他に設けられておらず、排出ロール２Ｆにより搬送されてきた用紙Ｐをイクジットロール４３２が受け取り、そしてこのイクジットロール４３２によって、コンパイル部４３１に用紙Ｐが排出されるようになっている。【選択図】図１
2012121643.tif 000002
【特許請求の範囲】
【請求項１】
記録材を受け入れる受け入れ部と、
前記受け入れ部にて受け入れられた前記記録材を支持する支持面を有し、当該支持面に向けて順次排出される当該記録材を当該支持面で支持し、記録材束を生成する記録材束生成部と、
を備え、
前記支持面に向けての前記記録材の排出は、前記受け入れ部にて受け入れられた当該記録材に初めて接触する駆動部材によって行われることを特徴とする記録材処理装置。
【請求項２】
前記記録材束生成部にて生成され前記支持面上に載っている前記記録材束の端部に対し予め定められた処理を施す処理機構を備え、
前記記録材処理装置は、複数の側面を備え、
前記処理機構は、前記記録材処理装置の前記複数の側面のうちの何れかの側面に寄せられた状態で設けられていることを特徴とする請求項１記載の記録材処理装置。
【請求項３】
前記記録材束生成部は、前記支持面に向けて順次排出される前記記録材を一方向に移動させることで突き当て部に当該記録材を突き当て端部の揃え処理が施された前記記録材束を当該支持面上に生成するとともに、当該支持面上の当該記録材束を当該一方向とは反対方向に搬送し、
前記記録材束生成部により前記反対方向に搬送される前記記録材束が排出される開口が更に設けられ、
前記記録材処理装置にて処理可能な最大の記録材の中央部から端部までの距離よりも、前記突き当て部から前記開口までの距離の方が大きくなるように構成されていることを特徴とする請求項１又は２に記載の記録材処理装置。
【請求項４】
前記駆動部材は、回転駆動を行う部材であることを特徴とする請求項１乃至３の何れかに記載の記録材処理装置。
【請求項５】
記録材に画像を形成する画像形成装置と、
前記画像形成装置により画像が形成された記録材を受け入れる受け入れ部と、
前記受け入れ部にて受け入れられた前記記録材を支持する支持面を有し、当該支持面に向けて順次排出される当該記録材を当該支持面で支持し、記録材束を生成する記録材束生成部と、
を備え、
前記支持面に向けての前記記録材の排出は、前記受け入れ部にて受け入れられた当該記録材に初めて接触する駆動部材によって行われることを特徴とする記録材処理システム。
【請求項６】
前記画像形成装置に隣接した筐体がさらに設けられ、
前記筐体に、前記受け入れ部、前記記録材束生成部、および前記駆動部材が設けられるとともに、当該筐体のうちの前記画像形成装置に対峙する側に当該受け入れ部が設けられ、当該筐体のうちの当該対峙する側とは反対側には、当該記録材束生成部により生成された前記記録材束が排出される開口が形成され、
前記筐体の内部には、前記記録材束生成部にて生成され前記支持面上に載っている前記記録材束の端部に対し予め定められた処理を施す処理機構が更に設けられ、
前記筐体の内部に設けられた前記処理機構は、前記画像形成装置に対峙する側に寄せられた状態で設けられていることを特徴とする請求項５記載の記録材処理システム。
【請求項７】
前記記録材束生成部を収容する筐体が更に設けられ、
前記記録材束生成部は、前記支持面に向けて順次排出される前記記録材を一方向に移動させることで突き当て部に当該記録材を突き当て端部の揃え処理が施された記録材束を当該支持面上に生成するとともに、当該支持面上の当該記録材束を当該一方向とは反対方向に搬送し、
前記筐体には、前記記録材束生成部により前記反対方向に搬送される前記記録材束が排出される開口が更に設けられ、
前記記録材処理システムにて処理可能な最大の記録材の中央部から端部までの距離よりも、前記突き当て部から前記開口までの距離の方が大きくなるように構成されていることを特徴とする請求項５記載の記録材処理システム。
【発明の詳細な説明】
【技術分野】
【０００１】
本発明は、記録材処理装置および記録材処理システムに関する。
【背景技術】
【０００２】
シート搬入口に設けられたシート搬入ローラ、このシート搬入ローラに接続するシート搬入路の終端に設けられた搬入路終端ローラによって、シート搬入口から搬入されたシートがコンパイルトレイに搬入されるシート処理装置が開示されている（例えば、特許文献１参照）。
また、第１の搬送路に沿ってシートを搬送する第１の搬送ローラ対が設けられ、第２の上部搬送路と第２の下部搬送路にはそれぞれ第２の上部搬送ローラ対と第２の下部搬送ローラ対が設けられ、第２の上部搬送路と第２の下部搬送路の合流部の左側に第３の搬送ローラ対が設けられた後処理装置が開示されている（例えば、特許文献２参照）。
【先行技術文献】
【特許文献】
【０００３】
【特許文献１】特開平８−７３１１１号公報
【特許文献２】特開２００１−２３３５２４号公報
【発明の概要】
【発明が解決しようとする課題】
【０００４】
本発明の目的は、記録材を処理する記録材処理装置や記録材処理システムにて生じうる記録材の詰まりを低減することにある。
【課題を解決するための手段】
【０００５】
請求項１に記載の発明は、記録材を受け入れる受け入れ部と、前記受け入れ部にて受け入れられた前記記録材を支持する支持面を有し、当該支持面に向けて順次排出される当該記録材を当該支持面で支持し、記録材束を生成する記録材束生成部と、を備え、前記支持面に向けての前記記録材の排出は、前記受け入れ部にて受け入れられた当該記録材に初めて接触する駆動部材によって行われることを特徴とする記録材処理装置である。
請求項２に記載の発明は、前記記録材束生成部にて生成され前記支持面上に載っている前記記録材束の端部に対し予め定められた処理を施す処理機構を備え、前記記録材処理装置は、複数の側面を備え、前記処理機構は、前記記録材処理装置の前記複数の側面のうちの何れかの側面に寄せられた状態で設けられていることを特徴とする請求項１記載の記録材処理装置である。
請求項３に記載の発明は、前記記録材束生成部は、前記支持面に向けて順次排出される前記記録材を一方向に移動させることで突き当て部に当該記録材を突き当て端部の揃え処理が施された前記記録材束を当該支持面上に生成するとともに、当該支持面上の当該記録材束を当該一方向とは反対方向に搬送し、前記記録材束生成部により前記反対方向に搬送される前記記録材束が排出される開口が更に設けられ、前記記録材処理装置にて処理可能な最大の記録材の中央部から端部までの距離よりも、前記突き当て部から前記開口までの距離の方が大きくなるように構成されていることを特徴とする請求項１又は２に記載の記録材処理装置である。
請求項４に記載の発明は、前記駆動部材は、回転駆動を行う部材であることを特徴とする請求項１乃至３の何れかに記載の記録材処理装置である。
【０００６】
請求項５に記載の発明は、記録材に画像を形成する画像形成装置と、前記画像形成装置により画像が形成された記録材を受け入れる受け入れ部と、前記受け入れ部にて受け入れられた前記記録材を支持する支持面を有し、当該支持面に向けて順次排出される当該記録材を当該支持面で支持し、記録材束を生成する記録材束生成部と、を備え、前記支持面に向けての前記記録材の排出は、前記受け入れ部にて受け入れられた当該記録材に初めて接触する駆動部材によって行われることを特徴とする記録材処理システムである。
請求項６に記載の発明は、前記画像形成装置に隣接した筐体がさらに設けられ、前記筐体に、前記受け入れ部、前記記録材束生成部、および前記駆動部材が設けられるとともに、当該筐体のうちの前記画像形成装置に対峙する側に当該受け入れ部が設けられ、当該筐体のうちの当該対峙する側とは反対側には、当該記録材束生成部により生成された前記記録材束が排出される開口が形成され、前記筐体の内部には、前記記録材束生成部にて生成され前記支持面上に載っている前記記録材束の端部に対し予め定められた処理を施す処理機構が更に設けられ、前記筐体の内部に設けられた前記処理機構は、前記画像形成装置に対峙する側に寄せられた状態で設けられていることを特徴とする請求項５記載の記録材処理システムである。
請求項７に記載の発明は、前記記録材束生成部を収容する筐体が更に設けられ、前記記録材束生成部は、前記支持面に向けて順次排出される前記記録材を一方向に移動させることで突き当て部に当該記録材を突き当て端部の揃え処理が施された記録材束を当該支持面上に生成するとともに、当該支持面上の当該記録材束を当該一方向とは反対方向に搬送し、前記筐体には、前記記録材束生成部により前記反対方向に搬送される前記記録材束が排出される開口が更に設けられ、前記記録材処理システムにて処理可能な最大の記録材の中央部から端部までの距離よりも、前記突き当て部から前記開口までの距離の方が大きくなるように構成されていることを特徴とする請求項５記載の記録材処理システムである。
【発明の効果】
【０００７】
請求項１の発明によれば、本構成を有していない場合に比較して、記録材処理装置にて生じうる記録材の詰まりを低減することができる。
請求項２の発明によれば、処理機構が記録材処理装置の中央部などに設けられている場合に比べ、記録材束生成部における支持面を大きくすることができるようになる。
請求項３の発明によれば、開口からの記録材の落下を抑制するための部材を別途設けずに記録材の落下を抑制することが可能となる。
請求項４の発明よれば、支持面に向けて記録材を排出する機構の簡素化が可能になる。
請求項５の発明によれば、本構成を有していない場合に比較して、記録材処理システムにて生じうる記録材の詰まりを低減することができる。
請求項６の発明によれば、処理機構が筐体の中央部などに設けられている場合に比べ、記録材束生成部における支持面を大きくすることができるようになる。
請求項７の発明によれば、開口からの記録材の落下を抑制するための部材を別途設けずに記録材の落下を抑制することが可能となる。
【図面の簡単な説明】
【０００８】
【図１】本実施の形態が適用される用紙処理システムの全体構成を示した図である。
【図２】用紙処理装置の上部を拡大して示した図である。
【発明を実施するための形態】
【０００９】
以下、添付図面を参照して、本発明の実施形態について詳細に説明する。
図１は、本実施の形態が適用される用紙処理システム１の全体構成を示した図である。
図１に示す用紙処理システム１は、例えば電子写真方式によって記録材の一例としての用紙Ｐに対しカラー画像を形成するプリンタや複写機等の画像形成装置２と、画像形成装置２から排出される用紙Ｐに対して後処理を施す用紙処理装置４（記録材処理装置の一例）とを備えている。
【００１０】
ここで画像形成装置２は、画像形成装置本体２Ａと、例えば液晶ディスプレイにより構成され、ユーザに対して情報を表示するとともにユーザからの指示（入力）を受け付けるＵＩ（User Interface）とを備えている。また、画像形成装置２は、画像形成装置本体２Ａの内部に、用紙Ｐに対して例えばトナー像を形成する画像形成部（不図示）を備えている。また、この画像形成部によって用紙Ｐに形成されたトナー像を加熱および加圧することでこの用紙Ｐに定着する定着装置２Ｅ、定着装置２Ｅを通過した用紙Ｐを画像形成装置２の外部に排出する排出ロール２Ｆが設けられている。さらに画像形成装置２は、画像形成装置本体２Ａにおける上記画像形成部、定着装置２Ｅなどを制御する制御部２Ｃを備えている。
【００１１】
なお画像形成装置２に設けられた上記画像形成部は、例えば、感光体ドラム、この感光体ドラムを帯電する帯電器、感光体ドラムにレーザ光を照射し静電潜像を形成するレーザ露光器、感光体ドラムに形成された上記静電潜像をトナーを用いて現像する現像装置、感光体ドラム上に形成されたトナー像を用紙Ｐに対し転写する転写装置とから構成することができる。なお本実施形態では、電子写真方式によって画像を形成する場合を例示したが、インクジェット方式などによって画像を形成することもできる。
【００１２】
一方、用紙処理装置４は、略垂直に配置された４つの側面を有し略直方体状に形成された筐体４１と、用紙束（記録材束）を生成するとともにこの用紙束の端部に対しステープル（金属針）を用いて綴じ処理を行う端綴じ部４３とを備えている。さらに用紙処理装置４には、画像形成装置２における制御部２Ｃと通信可能に設けられ用紙処理装置４の全体を制御する制御部１００が設けられている。また、用紙処理装置４は、端綴じ部４３から排出された用紙束が載せられる用紙積載部材４５を備えている。ここでこの用紙積載部材４５は、用紙束が積載されるに従い下方に移動する。
【００１３】
また用紙処理装置４は、筐体４１の上部に設けられ用紙処理装置４での処理が行われない用紙Ｐが積載される上部積載部４６を備えている。さらに用紙処理装置４には、端綴じ部４３に向けて用紙Ｐが順次搬送される際に用紙Ｐが通過する第１用紙搬送経路Ｒ１が設けられている。また、この第１用紙搬送経路Ｒ１から分岐して設けられ、上部積載部４６に向けて用紙Ｐが搬送される際に用紙Ｐが通過する第２用紙搬送経路Ｒ２が設けられている。また、第２用紙搬送経路Ｒ２に沿って搬送されてきた用紙Ｐを上部積載部４６に排出する排出ロール４６１、排出ロール４６１よりも用紙Ｐの搬送方向における上流側に設けられ第２用紙搬送経路Ｒ２に沿って搬送されてきた用紙Ｐを排出ロール４６１に向けて搬送する搬送ロール４６２が設けられている。
【００１４】
また用紙処理装置４には、第２用紙搬送経路Ｒ２が第１用紙搬送経路Ｒ１から分岐した分岐部に、切り替え部材４７が設けられている。この切り替え部材４７は、予め定められた軸を中心に揺動可能（回転可能）に設けられている。付言すると、切り替え部材４７は、用紙Ｐの搬送方向における下流側に一端を有し、用紙Ｐの搬送方向における上流側に他端を有するとともに、用紙Ｐの搬送方向における下流側に位置するこの一端を中心に回転可能に設けられている。
【００１５】
ここで、切り替え部材４７は、第１用紙搬送経路Ｒ１から退避した状態から第１用紙搬送経路Ｒ１に突出した状態に変位し、画像形成装置２から搬送されてきた用紙Ｐの搬送先を、第１用紙搬送経路Ｒ１から第２用紙搬送経路Ｒ２に切り替える。なお、切り替え部材４７の第１用紙搬送経路Ｒ１への突出は、切り替え部材４７の上記他端が第１用紙搬送経路Ｒ１に移動するように切り替え部材４７が回転することで行われる。また切り替え部材４７は、第１用紙搬送経路Ｒ１に突出した状態から第１用紙搬送経路Ｒ１から退避した状態に変位し、画像形成装置２から搬送されてきた用紙Ｐの搬送先を、第２用紙搬送経路Ｒ２から第１用紙搬送経路Ｒ１に切り替える。
【００１６】
また用紙処理装置４には、切り替え部材４７よりも用紙Ｐの搬送方向における下流側に設けられるとともに第１用紙搬送経路Ｒ１に沿って設けられ、第１用紙搬送経路Ｒ１を搬送される用紙Ｐの案内を行う第１案内部材５１が設けられている。また、第１用紙搬送経路Ｒ１を挟み第１案内部材５１の対向位置に配置され、同じく用紙Ｐの案内を行う第２案内部材５２が設けられている。ここでこの第２案内部材５２は、用紙Ｐの案内を行う第１案内面５２Ａ、第２案内面５２Ｂを有している。ここで第１案内面５２Ａは、切り替え部材４７よりも用紙Ｐの搬送方向における下流側に設けられるとともに第１用紙搬送経路Ｒ１に沿うように設けられ、また、第１案内部材５１の対向位置に配置され、第１用紙搬送経路Ｒ１を搬送される用紙Ｐの案内を行う。
【００１７】
また、第２案内面５２Ｂは、第１案内面５２Ａよりも用紙Ｐの搬送方向における上流側に設けられるとともにこの第１案内面５２Ａに接続して設けられ、また、第１用紙搬送経路Ｒ１を挟み切り替え部材４７の対向位置に配置されている。また第２案内面５２Ｂは、用紙Ｐの搬送方向における下流側に向かうに従い、第１用紙搬送経路Ｒ１に接近するように設けられている。付言すると、第２案内面５２Ｂは、水平方向に対し傾斜した状態で設けられている。この第２案内面５２Ｂは、画像形成装置２から排出された用紙Ｐの先端が垂れ下がっているときなどに、この先端を案内し、用紙Ｐを、第１案内部材５１と第１案内面５２Ａとの間に誘導する。
【００１８】
端綴じ部４３は、順次搬送されてくる用紙Ｐが積載されるコンパイル部４３１と、回転駆動しコンパイル部４３１に向けて用紙Ｐを排出する一対のローラであるイクジットロール４３２（駆動部材の一例）とを備えている。ここで、コンパイル部４３１の上面は、記録材としての用紙Ｐを支持する支持面として捉えることができ、コンパイル部４３１は、用紙束（記録材束）を生成する記録材束生成部として捉えることができる。また端綴じ部４３には、用紙Ｐの後端をコンパイル部４３１のエンドガイド４３１Ａに突き当てるために回転するパドル５８が設けられている。更に、パドル５８によってエンドガイド４３１Ａに突き当てられ端部の揃え処理が施された用紙束の、この端部に対してステープルを用いて綴じ処理を行うステープラ４３５（処理機構の一例）が設けられている。
【００１９】
また端綴じ部４３には、コンパイル部４３１にて集積され且つステープラ４３５による綴じ処理が行われた用紙束を、排出口４１１（開口の一例）を通じ、用紙積載部材４５へ搬送するイジェクトロール４３３が設けられている。さらに、イジェクトロール４３３による用紙束の排出が行われる際に、この用紙束に押圧配置される押圧ロール４３６が設けられている。なおこの押圧ロール４３６は、イジェクトロール４３３による用紙束の排出が行われていないときには、上方に退避している。
【００２０】
ここで端綴じ部４３における動作について詳細に説明する。
端綴じ部４３による綴じ処理が行われる際には、切り替え部材４７によって、用紙Ｐの搬送先が第１用紙搬送経路Ｒ１に設定される。これにより、画像形成装置２から順次搬送されてくる用紙Ｐが、第１用紙搬送経路Ｒ１を経由してコンパイル部４３１に到達し、このコンパイル部４３１に対し用紙Ｐが順次排出される。そして排出された用紙Ｐは、パドル５８によって、突き当て部として機能するエンドガイド４３１Ａに向かって一方向に移動する。これによりコンパイル部４３１上には、複数枚の用紙Ｐにより構成された用紙束が生成される。次いで、ステープラ４３５によって、生成されたこの用紙束の端部に対して綴じ処理が行われる。その後、この用紙束に対して押圧ロール４３６が進出するとともに、イジェクトロール４３３の回転が行われる。これにより、上記一方向とは反対方向に用紙束が移動し用紙積載部材４５上にこの用紙束が積載される。
【００２１】
ところで本実施形態では、画像形成装置２に設けられた排出ロール２Ｆによって画像形成装置２から排出された用紙Ｐを、コンパイル部４３１へ用紙Ｐを排出するイクジットロール４３２で受け取り、そして、排出ロール２Ｆおよびイクジットロール４３２の２つのロールによって、この用紙Ｐをコンパイル部４３１に排出している。付言すると、排出ロール２Ｆとイクジットロール４３２との間には、用紙Ｐの搬送に用いられるロールが他に設けられておらず、排出ロール２Ｆにより搬送されてきた用紙Ｐをイクジットロール４３２が受け取り、そしてこのイクジットロール４３２によって、コンパイル部４３１に用紙Ｐが排出されるようになっている。
【００２２】
さらに説明すると、用紙処理装置４の第１用紙搬送経路Ｒ１上には、一つのロール（一つのロール対）しか設けられておらず、この一つのロール（イクジットロール４３２）によって、上流側から搬送されてきた用紙Ｐをまず受け取り、そして、この一つのロールによって、用紙Ｐをコンパイル部４３１へ排出している。さらに説明すると、本実施形態では、用紙処理装置４に搬送されてきた用紙Ｐに初めて接触するイクジットロール４３２によって、コンパイル部４３１への用紙Ｐの排出が行われるようになっている。
【００２３】
ここで、排出ロール２Ｆとイクジットロール４３２との間に更にロールを設けることも考えられる。ところでこの場合、装置の大型化を招いてしまう。本願の構成では、装置内におけるロールの数が減少し、装置の小型化が実現されている。また排出ロール２Ｆとイクジットロール４３２との間に更にロールを設ける場合、このようにロールを設けない場合に比べ、第１用紙搬送経路Ｒ１にて用紙Ｐの詰まり（ジャム）が生じやすくなる。このため本実施形態では、第１用紙搬送経路Ｒ１におけるロールの数を最小限とし、用紙Ｐの詰まりを生じにくくしている。
【００２４】
ここで本実施形態では、第１用紙搬送経路Ｒ１が、用紙処理装置４の図中左側に位置しており（用紙処理装置４の一方側に寄せられて設けられており）、第１用紙搬送経路Ｒ１にて用紙Ｐの詰まりが生じた場合、図中左側（用紙処理装置４の左側面側）にこの用紙Ｐを引っ張ることでこの用紙Ｐの除去を行うことができる。ところでこの場合、用紙処理装置４の左側には画像形成装置２が設置されているために、用紙Ｐの除去が行いにくくなっている。付言すると本実施形態の用紙処理装置４は、第１用紙搬送経路Ｒ１上の用紙Ｐの除去が行いにくくなっており、この第１用紙搬送経路Ｒ１にて用紙Ｐの詰まりを極力生じさせないことが望ましくなってくる。このため本実施形態では、第１用紙搬送経路Ｒ１上にイクジットロール４３２だけが設けられていた構成とし、第１用紙搬送経路Ｒ１における用紙Ｐの詰まりを生じにくくしている。
【００２５】
ここで図２は、用紙処理装置４の上部を拡大して示した図である。
上記では説明を省略したが、本実施形態では、用紙処理装置４のうちの画像形成装置２に面する箇所（対峙する箇所）に、画像形成装置２から搬送されてきた用紙Ｐを受け入れる受け入れ部４２が設けられている。そして本実施形態では、この受け入れ部４２に、切り替え部材４７が設けられ、用紙処理装置４に用紙Ｐが進入した直後に、切り替え部材４７による用紙Ｐの案内が行われるようになっている。また本実施形態では、画像形成装置２に面する側とは反対側に、用紙束が排出される排出口４１１が形成されている。
【００２６】
また本実施形態では、受け入れ部４２に設けられた切り替え部材４７の下方に（真下に）ステープラ４３５が設けられている。さらに説明すると、本実施形態におけるステープラ４３５は、用紙処理装置４の中央部（水平方向における中央部）ではなく、受け入れ部４２が設けられている側に寄せられて設けられている。さらに説明すると、ステープラ４３５は、用紙処理装置４のうちの、画像形成装置２が設けられている側に寄せられた状態で配置されている。さらに説明すると、ステープラ４３５は、用紙処理装置４に設けられた複数の側面のうち画像形成装置２側に位置する側面に寄せられた状態で設けられている。この結果、本実施形態では、ステープラ４３５が、用紙処理装置４の中央部に設けられている場合や、用紙処理装置４のうちの排出口４１１が設けられている側に寄せられて設けられている場合に比べ、コンパイル部４３１の長さが確保できるようになっている。
【００２７】
この結果、本実施形態では、コンパイル部４３１に積載されている用紙Ｐのうちの筐体４１から突出する部分（図２の符号Ｐｔ参照）の長さが小さくなる。また、ステープラ４３５が用紙処理装置４の中央部などに配置されている場合、上記筐体４１から突出する部分Ｐｔの筐体４１からの突出量が増大し、この部分が下方に垂れ下がりやすくなる。そしてこの場合、用紙Ｐに湾曲が生じたり、用紙Ｐの落下などが生じたりするおそれがある。なおこのような場合、用紙Ｐのうちの筐体４１から突出する部分を下方から支持する支持部材（図２の符号４８参照）を別途設けることもあるが、この場合、用紙処理装置４の大型化を招きやすい。
【００２８】
一方、本実施形態では、受け入れ部４２が設けられている側にステープラ４３５が寄せられて設けられおり、上記のとおり、コンパイル部４３１の長さが確保できるようなっている。このため本実施形態では、上記筐体４１から突出する部分Ｐｔの筐体４１からの突出量が小さくなるようになっている。さらに本実施形態では、コンパイル部４３１の長さが上記のように確保できるようになった結果、本用紙処理装置４にて処理可能な最大の用紙Ｐがコンパイル部４３１に載っている状態にて、この用紙Ｐの重心Ｇ（図２参照）を、コンパイル部４３１の上方に位置させることができるようになっている。
【００２９】
付言すると本実施形態では、コンパイル部４３１の長さを確保できるため、図２に示すように、コンパイル部４３１の長さＬ２（エンドガイド４３１Ａからコンパイル部４３１の端部までの距離）を、上記最大の用紙Ｐの端部から重心Ｇ（中央部）までの距離Ｌ１よりも大きくできるようになっている。付言すると、コンパイル部４３１のエンドガイド４３１Ａから排出口４１１までの距離を、上記最大の用紙Ｐの端部から重心Ｇまでの距離Ｌ１よりも大きくできるようになっている。そしてこの場合、上記のような支持部材４８を設けずに用紙Ｐを支持可能となる。そしてこれにより装置の小型化が図られるようになる。
【符号の説明】
【００３０】
２…画像形成装置、４…用紙処理装置、４１…筐体、４２…受け入れ部、４１１…排出口、４３１…コンパイル部、４３１Ａ…エンドガイド、４３２…イクジットロール、４３５…ステープラ
【図１】
2012121643.tif 000003
【図２】
2012121643.tif 000004